(57)【特許請求の範囲】
【請求項１】
巻芯両端にフランジを備えた釣糸用スプールにおいて、両方のフランジの周縁部に、帯状をなすプラスチック製の環状覆体を回動及び着脱自在に装着し、該覆体上面に支持部を隆設し、該支持部の前部、後部及び片方の側縁部を残し、他方の側縁部から切り込み状にカッター部を凹設し、該カッター部に、支持部内に埋設状に取着したカッターの刃先を横向きに突出させ、支持部回りからカッターの刃先に掛かる範囲で、支持部と覆体間に隙間状の釣糸保持部を形成したことを特徴とする釣糸用スプール。
【請求項２】
スプールを構成する両方のフランジ周縁部に、対向して断面Ｌ字状の切込み段部を設け、該切込み段部に覆体の両側縁を落し込み状に係合させたことを特徴とする請求項１記載の釣糸用スプール。
【請求項３】
カッター部において、略三角形状に覆体面を露出させ、カッターの刃先は、覆体面に平行させ、且つ、覆体長手方向に傾斜して、前記スプール内から引き出した釣糸を前記支持部に引き込む方向とは逆向きの後向きにカッター部に突出させたことを特徴とする請求項１又は２記載の釣糸用スプール。
【請求項４】
フランジ周縁部と、これに係合する覆体間に生じる緩みを利用し、両者の隙間からスプール内の釣糸を引き出すことを特徴とする請求項１〜３のいずれか１項に記載の釣糸用スプール。
【請求項５】
釣糸保持部を、カッター部の背部から支持部の前部を経てカッターの刃先に掛けて形成し、該釣糸保持部内にあって支持部の前部で支持部側から覆体面向けに保持片を突設したことを特徴とする請求項１〜４のいずれか１項に記載の釣糸用スプール。
【請求項６】
釣糸保持部を、カッター部が凹設された側の支持部の前部にカッターの刃先に掛けて形成し、該釣糸保持部内にあって支持部側から覆体面向けに保持片を突設したことを特徴とする請求項１〜４のいずれか１項に記載の釣糸用スプール。
【請求項７】
支持部が覆体に一体に設けた台座と、該台座に対し結合される外装体からなり、台座の定位置にカッターを載せ、外装体下面に突設した係合突起をカッター及び台座に穿設した係合孔に挿通係止してカッターを取着したことを特徴とする請求項１〜６のいずれか１項に記載の釣糸用スプール。
【請求項８】
覆体の適所に取着孔を設け、該取着孔に前記釣糸用スプールを吊り下げるための吊り具を取着したことを特徴とする請求項１〜３のいずれか１項に記載の釣糸用スプール。
【発明の詳細な説明】
【０００１】
【発明の属する技術分野】
本発明は、スプールに巻回された釣糸の使用をし易くする釣糸用スプールに関するものである。
【０００２】
【従来の技術】
従来より、釣糸の販売形態として、所定長さの釣糸を、円筒形の巻芯の両端にフランジを備えた釣糸用スプールに巻回して市販することが行われている。
【０００３】
こうしてスプールに巻回された釣糸が勝手にスプールから解れたりしないようにするために、スプールに巻回された釣糸上に、弾力的に釣糸面に当てられる薄板バンド状のプラスチック製の糸止め具を装着することが行われている。
【０００４】
この糸止め具には、釣糸を交換したりする時に、スプールから繰り出される釣糸を必要長さにカットするためのカッタや、カット後の釣糸端部を保持させる糸止め手段を備えたものが提案されている。（例えば、特許文献１参照。）。
【０００５】
この特許文献１に記載のものは、糸止め具の一側縁からの釣糸導入部と、これに連なる釣糸繰り出し孔とを設けるとともに、釣糸繰り出し孔から繰り出された釣糸を切断し、かつ残余の釣糸端部を保持するために、糸止め具の外周面にカッター部を設けたものである。
【０００６】
このカッター部の具体的構成としては、糸止め具と一体成形されたカッター台に対し、カッター刃を備えたベースプレートを横方向から挿入・嵌着したもので、ベースプレートは、１枚の板状金属製材料を屈曲形成してなり、上面の略Ｕ字形の切り込み部分を斜め上方に持ち上げて舌状のカッター刃を形成している。
【０００７】
このカッター刃は、上カッター台に対して、糸止め具の長さ方向に対して斜め方向に形成されているので、スプールに巻回された釣糸を使用する時は、釣糸繰り出し孔より必要長さ繰り出した釣糸をカッター刃とベースプレート間に挟み込んでから、釣糸繰り出し孔へ戻る方向に強く引くと、カッター刃の根元で釣糸が切断される一方、カッター刃の根元には残余の釣糸端部が保持されるものである。
【０００８】
【特許文献１】
特開２０００−１５７１３４号公報（請求項１、図６）
【０００９】
【発明が解決しようとする課題】
ところが、前記する従来例の糸止め具では、釣糸は、ベースプレートの上面に、略Ｕ字形に切り起こした舌状のカッター刃の根元まで引き込んで切断され、切断後の釣糸端部はそのままにカッター刃の根元に挟み込まれて保持されるので、次回に、スプールに巻回された釣糸を引き出すには、カッター刃の根元に保持されている釣糸端部を外してからでないと、釣糸端部を摘んでスプールから引き出すことはできないものである。
【００１０】
さらに、一般的な市販品におけるスプールに巻回される釣糸は、所定長の釣糸を巻回した状態で、フランジ周縁部のところまで一杯には巻回されてはおらず、フランジの内面中間部付近までで、フランジの上半部分を残すような巻き方になっているので、このスプール内の釣糸上に装着される糸止め具は、両方のフランジ間の隙間に落ち込んで釣糸面に接している。
【００１１】
そこで、スプールに巻回された釣糸を、道具を使用しないで指先だけでスプールから引き出すとなれば、両方のフランジ間の隙間に指先を挿入し、釣糸上に装着された糸止め具のカッター刃の根元に保持されている釣糸端部を外し、この釣糸端部を摘んで引き出さなければならないが、汎用のスプールでは、両方のフランジ間の隙間に指先を深く挿入することはできないので、指先だけでカッター刃の根元から釣糸端部を外したり、その端部を摘んで釣糸を引き出したりする操作ができるのは、両方のフランジ間の間隔の大きな大型のスプールに限られる。
【００１２】
また、このような大型のスプールにしても、スプール内の釣糸量が少なって両方のフランジ間の隙間内に糸止め具が深く落ち込んでしまうと、両方のフランジ間の隙間内に指先を挿入して釣糸を簡単に取り扱うことはできなくなる。
【００１３】
また、ベースプレート上面に略Ｕ字形に切り起こしてなる舌状のカッター刃からすると、その根元に挟み込み状に保持されている釣糸端部を指先で外したりするような時に、刃先に指先が触れて怪我をするおそれも多分にある。
【００１４】
そこで、本発明に係る釣糸用スプールは、スプールの大きさやスプールに巻回される釣糸量に関係なく、常に同じ条件で、スプール内からの釣糸の引き出しと、その切断、また、切断後の釣糸端部の保持が簡単にでき、しかも、カッターの刃先には指先が触れるようなことがなく安全で、取り扱い易い釣糸用スプールを提供することを目的としたものである。
【００１５】
【課題を解決するための手段】
上記目的を達成するために、本発明に係る釣糸用スプールは、巻芯両端にフランジを備えた釣糸用スプールにおいて、両方のフランジの周縁部に、帯状をなすプラスチック製の環状覆体を回動及び着脱自在に装着し、該覆体上面に支持部を隆設し、該支持部の前部、後部及び片方の側縁部を残し、他方の側縁部から切り込み状にカッター部を凹設し、該カッター部に、支持部内に埋設状に取着したカッターの刃先を横向きに突出させ、支持部回りからカッターの刃先に掛かる範囲で、支持部と覆体間に隙間状の釣糸保持部を形成したことを特徴とする。
【００１６】
ここで、スプールに対する覆体の装着は、スプールを構成する両方のフランジ周縁部に、対向して断面Ｌ字状の切込み段部を設け、該切込み段部に覆体の両側縁を落し込み状に係合させ、また、スプール内から覆体外への釣糸の引き出しは、覆体の側縁に切込み状に設けた釣糸引出し凹部から引き出すか、または、フランジ周縁部と、これに係合する覆体との間に生じる緩みを利用し、両者の隙間からスプール内の釣糸を引き出すことができる。
【００１７】
このように構成した本発明の釣糸用スプールによれば、覆体は、スプールを構成する両方のフランジ周縁部にあって両方のフランジ間に形成される釣糸収容空間を覆っているので、覆体の外に出ている釣糸端部を指先で持ってスプール内から必要とする長さを引き出し、そのまま釣糸の切断部分を支持部と覆体間に形成した釣糸保持部内に引き入れてカッターの刃先に掛けて切断すればよい。こうして、スプールのサイズやスプールに巻回される釣糸量に関係なく、常に同じ条件で、スプール内からの釣糸の引き出しと切断が簡単にできて便利なものである。
【００１８】
また、切断後の釣糸端部は、釣糸の弾力で伸長してカッターの刃先からは離れるが、釣糸保持部にそのまま保持させられるので、次回に釣糸を使用する時に、釣糸端部が摘み易くなって釣糸を取り扱い易くする。しかも、釣糸を切断する時に、カッターの刃先から離れたところを持って取り扱われるので、カッターの刃先に指先が触れるようなことがなく安全性も高い。
【００１９】
また、前記カッター部において、略三角形状に覆体面を露出させ、カッターの刃先は、覆体面に平行させ、且つ、覆体長手方向に傾斜してカッター部において、略三角形状に覆体面を露出させ、カッターの刃先は、覆体面に平行させ、且つ、覆体長手方向に傾斜して、前記スプール内から引き出した釣糸を前記支持部に引き込む方向とは逆向きの後向きにカッター部に突出させた構成にすると、釣糸は、釣糸保持部からカッター部に引き出されて鋭角に折げてカッターの刃先に掛けられ、釣糸の切断時には、引っ張る力の他に刃先上で横ずれ等も生じさせることができるので、釣糸の切断は無理なく確実に行われる。
【００２０】
また、支持部回りからカッターの刃先に掛かる範囲で、支持部と覆体間に形成する隙間状の釣糸保持部は、釣糸をカッター部内に引き込んで適切に切断がなされるものであれば、特に、形態的な制約はないが、スプール内から覆体外への釣糸の引き出し位置が、支持部の後方に設定している場合は、釣糸保持部を、カッター部の背部から支持部の前部を経てカッターの刃先に掛けて形成し、該釣糸保持部内にあって支持部の前部で支持部側から覆体面向けに保持片を突設した構成にすると、スプール内から引き出した釣糸を切断する時は、釣糸の切断部分を、カッター部の背部から支持部の前部に回し、釣糸を覆体面に滑らせて釣糸保持部に引き込んでカッターの刃先に掛ける操作が簡単にできる。
【００２１】
こうして、切断後の釣糸端部は、釣糸の弾力で伸長してカッターの刃先からは離れるが、支持部の前部で支持部側から覆体面向けに突設した保持片によって釣糸保持部内に確実に保持されて釣糸を取り扱い易くする。
【００２２】
また、スプール内から覆体外への釣糸の引き出し位置が、支持部の前方に設定している場合は、釣糸保持部を、カッター部が凹設された側の支持部の前部にカッターの刃先に掛けて形成し、該釣糸保持部内にあって支持部側から覆体面向けに保持片を突設した構成にすると、スプール内から引き出した釣糸を切断する時は、釣糸の切断部分を、ほぼ直線状のままで支持部の側方から釣糸保持部に引き込んでカッターの刃先に掛ける操作が、ほとんどワンタッチで簡単にできる。
【００２３】
この場合も、切断後の釣糸端部は、釣糸の弾力で伸長してカッターの刃先からは離れるが、支持部の側縁部で支持部側から覆体面向けに突設した保持片によって釣糸保持部内に確実に保持されて釣糸を取り扱い易くする。
【００２４】
また、覆体上面に隆設した支持部は、覆体に一体に設けた台座と、該台座に対し結合される外装体からなり、台座の定位置にカッターを載せ、外装体下面に突設した係合突起をカッター及び台座に穿設した係合孔に挿通係止してカッターを取着した構成にすると、カッターの組み付け作業が簡単に確実にでき、製品の大量生産が可能となって安価に提供できる。
【００２５】
また、覆体の適所に取着孔を設け、該取着孔に前記釣糸用スプールを吊り下げるための吊り具を取着した構成にすると、釣糸用スプールを店頭販売するに当たって、スプールを吊り下げて陳列するのに便利なものである。また、この吊り具は簡単に取り外すことができるので使用者に渡ってから、これが邪魔になることはない。
【００２６】
【発明の実施の形態】
以下、本発明の実施の形態を図面に基づいて具体的に説明する。
【００２７】
図１は本発明の実施の形態を示す釣糸用スプールの一部を示す斜視図、図２はフランジ周縁部に対する覆体の装着関係を示す部分断面図、図３は覆体上に隆設する支持部の拡大平面図、図４は図３の支持部の側面図、図５は図３の支持部の斜視図である。
【００２８】
各図において、１はスプール本体、２はスプール本体１に装着される環状の覆体を示す。
【００２９】
スプール本体１は、Ｐ．Ｓ樹脂等のプラスチック資材で成型され、巻芯３の両端にフランジ４を備えたもので、大きさは、使用上の便利さを考慮して適切な大きさに設定される。なお、スプール本体１の基本的形態は、汎用のスプールと同じである。
【００３０】
覆体２は、図２に示すように、スプール本体１の両方のフランジ４間に形成される釣糸収容空間５全体を覆うようにした無端帯状をなす環状蓋的なもので、ポリエチレン等のプラスチック資材で成型されている。この覆体２を装着するために、スプール本体１の両方のフランジ４の周縁部には、対向して断面Ｌ字状の切込み段部６を設け、この段部６に覆体２の両側縁７を落とし込み状に係合させて回動及び着脱自在に装着している。
【００３１】
ここで、覆体２の両側縁７とフランジ周縁部の段部６との間には、ある程度の緩みを生じさせ、覆体２はほとんど抵抗なく回動可能にし、また、覆体２の人為的な変形を利用してフランジ周縁部に対する着脱が簡単にできるようにしている。
【００３２】
そして、スプール内の釣糸Ａ、すなわち、覆体２によって覆われた釣糸収容空間５内の釣糸Ａの覆体２外への引き出しは、フランジ周縁部と覆体２の側縁７との隙間から引き出すか、または、覆体２の側縁７に切込み状に設けた釣糸引出し凹部８から引き出すようにしている。
【００３３】
覆体２の上面に支持部９を隆設している。この支持部９には、その前部、後部（実施の形態では、スプール内から引き出した釣糸Ａを支持部９に引き込む方向を前方としている。）と片方の側縁部を残し、他方の側縁部から切り込み状にカッター部１０を凹設し、このカッター部１０内に覆体面を露出させている。
【００３４】
支持部９内には、埋設状にカッター１１を取着し、このカッター１１の刃先１１ａのみを覆体面からは僅かに浮かしてカッター部１０に突出させている。実施の形態のカッター部１０は、平面的に見て略三角形状に形成されており、カッター１１の刃先１１ａは、後向きで覆体面を傾斜して横切るカッター部１０の前側壁に突出させている。
【００３５】
また、この実施の形態では、支持部９に対するカッター１１の取着は、支持部９に対してカッター部１０の解放側面側からカッター収嵌空所１２を形成し、このカッター収嵌空所１２にカッター１１を収嵌して後、空所内に詰物を充填して固定している。
【００３６】
こうしてカッター部１０に突出するカッター１１の刃先１１ａは、カッター部１０の奥まったところに位置づけられ、釣糸Ａは切断するが、カッター部１０が解放された支持部９の上面側からも側面側からも指先が入り込むことがないように、カッター１１に関連する各部の寸法や形態等は適切に設定されている。
【００３７】
支持部９には、カッター１１の背部側から刃先１１ａに掛かる範囲で、支持部前部を覆体面から剥離して隙間状の釣糸保持部１３を形成している。
【００３８】
実施の形態では、支持部９の前部上面を、覆体面向けに傾斜させて舌片状の延長部１４を形成し、この延長部１４は先端向けに覆体面からの浮上り量を漸進的に大きくし、釣糸Ａが保持部１３内に入り易くするとともに、延長部１４の先端に覆体面向けに、釣糸Ａを保持部１３内に保持する保持片１５を突設している。
【００３９】
こうして釣糸保持部１３内への釣糸Ａの引き込みは、釣糸端部を手に持って人為的に覆体面を滑べらせる要領で保持片１５と覆体面との間を加圧的に通過させるようにしている。
【００４０】
図６は別の実施の形態を示す覆体上に隆設する支持部の拡大平面図、図７は図６の支持部中央からの断面図、図８は図６の支持部の斜視図である。
【００４１】
この実施の形態の支持部９は、覆体面に一体に設けた台座１６と、該台座１６に対して結合される外装体１７からなるもので、台座１６には、その定位置にカッター１１が載せられ、この上に外装体１７を被ぶせて外装体１７の下面に突設した係合突起１８をカッター１１及び台座１６に設けた取付け孔１９に挿通して台座１６下面に係止させている。
【００４２】
この場合、外装体１７の下面は、台座１６回りで覆体面に圧着状になるので、外装体下面のうちで、カッター１１の背部側から刃先１１ａに掛かる範囲で、外装体下面を覆体面から浮上させて隙間状の釣糸保持部１３を形成している。
【００４３】
ここでも、外装体１７の前部２１では、先端向けに覆体面からの浮上り量を漸進的に大きくして釣糸Ａが釣糸保持部１３内に入り易くするとともに、前部２１の先端には覆体面向けに保持片１５を突設している。
【００４４】
上記構成において、本発明に係る釣糸用スプールを使用するに当たっては、先に、釣糸Ａの端部を覆体２外に引き出し、これを釣糸保持部１３内に引き込んで保持させておく。釣糸Ａを使用する時は、釣糸端部を指先で持って必要とする長さをスプール内から引き出し、釣糸Ａの切断は、釣糸Ａの切断部分をカッター１１の背部側から支持部９の前側に回し、覆体面に滑べらせて保持片１５と覆体面との間から釣糸保持部１３内に引き込んでカッター部１０に通し、ここで釣糸Ａを上向きに引っ張ってカッター１１の刃先１１ａに強めに当てるか、釣糸Ａを刃先１１ａ上で動かして切断する。この際、釣糸Ａの切断個所が動かないように、支持部９の後方でもう一方の手で覆体面に釣糸Ａを押さえ付けるようにする。実施の形態では、このために、支持部９の後方の覆体面に、釣糸押さ片２２（図１参照）を設けている。
【００４５】
こうして、釣糸Ａは釣糸保持部１３を経てカッター部１０に通して切断され、切断後の釣糸端部は、釣糸保持部１３内に保持片１５によって釣糸保持部１３内からの抜出が阻止されて保持されるので、次回に釣糸Ａを使用する時に摘み易いものである。
【００４６】
また、本発明に係る釣糸用スプールのスプール本体１自体の基本形態は、汎用のものと全く変わりはないので、図９に示すように、複数個の同一サイズのスプールを並列状に結合し、このままで持ち歩いて各スプールに巻回された種類の異なる釣糸を使い分けるような使用に便利なものである。
【００４７】
なお、前記実施の形態では、支持部９に対し、スプール内からの引き出される釣糸Ａの位置を、支持部９の後方に設定した場合の構成について説明したが、スプール内からの引き出される釣糸Ａの位置を、支持部９の前方に設定することもできる。
【００４８】
図１０は、スプール内から引き出される釣糸の位置を、支持部の前方に設定した場合の実施の形態を示す図６に対応する覆体上に隆設する支持部の拡大平面図、図１１は、図１０の支持部の斜視図である。
【００４９】
而して、支持部９に対し、スプール内からの引き出される釣糸Ａの位置を、支持部９の前方に設定した場合は、図１０及び図１１に示すように、支持部９と覆体面間に形成する釣糸保持部１３を、カッター部１０が凹設された側の支持部９の前部に、カッター１１の刃先１１ａに掛けて形成し、この釣糸保持部１３内にあって支持部９側から覆体面向けに保持片１５を突設している。この場合は、釣糸保持部１３が簡素化される。また、スプール内から引き出した釣糸Ａを切断する時は、釣糸Ａの切断部分を、ほぼ直線状のままで支持部９の前部の釣糸保持部１３に引き込んでカッター１１の刃先１１ａに掛けて切断する操作が、ほとんどワンタッチで簡単にできる。
【００５０】
また、覆体２には、図１２（ａ）、（ｂ）に示すように、覆体２の適所に取着孔２３を設け、この取着孔２３に挿通係止される係合部２４を有する吊り具２５を取着すると、釣糸用スプールを店頭販売するに当たって、各釣糸用スプールが吊り具２５によって吊り下げ状に陳列することができて便利なものである。また、使用者に渡ってからは、使用者が吊り具２５を不要とする時は、簡単に取り外すことができるので、吊り具２５が邪魔になるようなものではない。
【００５１】
【発明の効果】
本発明は、以上説明したような形態で実施され、本発明の釣糸用スプールによれば、スプールのフランジ周縁部に回動自在に装着した覆体に、カッターを備え、切断された釣糸端部を保持する支持部を設けたので、スプールの大きさやスプールに巻回された釣糸量に関係なく、常に同じ条件で、スプール内からの釣糸の引き出しと切断が簡単にできる。しかも、切断後の釣糸端部は、覆体面上にあって保持されるので、次回の釣糸の引き出しを容易にする。また、カッターの刃先は、支持部に凹設したカッター部の奥まったところに位置づけられ、これには指先が触れることがないようにしたので、安全性も高く取り扱い易いものである。
【図面の簡単な説明】
【図１】  本発明の実施の形態を示す釣糸用スプールの一部を示す斜視図である。
【図２】  フランジ周縁部に対する覆体の装着関係を示す部分断面図である。
【図３】  覆体上に隆設する支持部の拡大平面図である。
【図４】  図３の支持部の側面図である。
【図５】  図３の支持部の斜視図である。
【図６】  本発明の別の実施の形態を示す覆体上に隆設する支持部の拡大平面図である。
【図７】  図６の支持部中央からの断面図である。
【図８】  図６の支持部の斜視図である。
【図９】  本発明に係る釣糸用スプールの連結使用状態を示す斜視図である。
【図１０】  スプール内から引き出される釣糸の位置が異なる実施の形態を示す覆体上に隆設する支持部の拡大平面図である。
【図１１】  図１０の支持部の斜視図である。
【図１２】  （ａ）は覆体と吊り具を分離した状態を示す要部の斜視図、（ｂ）は覆体に吊り具を取付た状態を示す要部の正面図である。
【符号の説明】
１  スプール本体
３  巻芯
４  フランジ
２  覆体
５  釣糸収容空間
６  段部
７  覆体の両側縁
８  切込み凹部
９  支持部
１０  カッター部
１１  カッター
１１ａ  カッターの刃先
１２  カッター収嵌空所
１３  釣糸保持部
１４  延長部
１５  保持片
１６  台座
１７  外装体
１８  係合突起
１９  取付け孔
２１  外装体の前部
２２  押え片
２３  取着孔
２４  係合部
２５  吊り具
Ａ  釣糸
【図１】
0003693637.tif 000002
【図２】
0003693637.tif 000003
【図３】
0003693637.tif 000004
【図４】
0003693637.tif 000005
【図５】
0003693637.tif 000006
【図６】
0003693637.tif 000007
【図７】
0003693637.tif 000008
【図８】
0003693637.tif 000009
【図９】
0003693637.tif 000010
【図１０】
0003693637.tif 000011
【図１１】
0003693637.tif 000012
【図１２】
0003693637.tif 000013